(57)【特許請求の範囲】
【請求項１】
媒体に記録された情報を読み取るスキャナー部が設けられた基体部と、
前記基体部に設けられ媒体に記録された情報を読み取る第１読み取り面と、
前記基体部に前記第１読み取り面と隣接して設けられ、媒体に記録された情報を読み取る第２読み取り面と、
前記基体部の前記第１読み取り面および第２読み取り面に対して揺動可能であり、閉じた状態では、前記第１読み取り面および第２読み取り面を覆う揺動部と、
該揺動部に設けられ、前記閉じた状態において、前記揺動部に載置された媒体を前記第２読み取り面へ送る送り手段と、
該揺動部に取り付けられ、前記閉じた状態において、前記第１読み取り面にセットされた媒体を覆うマットと、
前記揺動部と前記マットとの間において、前記第２読み取り面側に配置される弾性部材と、当該弾性部材よりも前記第２読み取り面から離間して配置される弾性部材とを備え、
前記送り手段が前記揺動部において偏倚した位置に設けられていることにより、前記揺動部の重心が、前記閉じた状態において、前記マットの中心に対して前記第２読み取り面側に偏倚した構成であり、
前記第２読み取り面側に配置される弾性部材における前記基体部側から前記揺動部側へ向かって前記揺動部と接触する面の面積は、当該弾性部材よりも前記第２読み取り面から離間して配置される弾性部材における前記基体部側から前記揺動部側へ向かって前記揺動部と接触する面の面積より大きい構成であるスキャナー装置。
【請求項２】
媒体に記録された情報を読み取るスキャナー部が設けられた基体部と、
前記基体部に設けられ媒体に記録された情報を読み取る第１読み取り面と、
前記基体部に前記第１読み取り面と隣接して設けられ、媒体に記録された情報を読み取る第２読み取り面と、
前記基体部の前記第１読み取り面および第２読み取り面に対して揺動可能であり、閉じた状態では、前記第１読み取り面および第２読み取り面を覆う揺動部と、
該揺動部に設けられ、前記閉じた状態において、前記揺動部に載置された媒体を前記第２読み取り面へ送る送り手段と、
該揺動部に取り付けられ、前記閉じた状態において、前記第１読み取り面にセットされた媒体を覆うマットと、
前記揺動部と前記マットとの間において、前記第２読み取り面側に配置される弾性部材と、当該弾性部材よりも前記第２読み取り面から離間して配置される弾性部材と、
前記揺動部における前記弾性部材と接触する箇所に間隔を空けて形成されたリブと、を備え、
前記送り手段が前記揺動部において偏倚した位置に設けられていることにより、前記揺動部の重心が、前記閉じた状態において、前記マットの中心に対して前記第２読み取り面側に偏倚した構成であり、
前記第２読み取り面側に配置される弾性部材と接触する前記リブの間隔は、当該弾性部材よりも前記第２読み取り面から離間して配置される前記弾性部材と接触する前記リブの間隔より狭い構成であるスキャナー装置。
【請求項３】
媒体に記録された情報を読み取るスキャナー部が設けられた基体部と、
前記基体部に設けられ媒体に記録された情報を読み取る第１読み取り面と、
前記基体部に前記第１読み取り面と隣接して設けられ、媒体に記録された情報を読み取る第２読み取り面と、
前記基体部の前記第１読み取り面および第２読み取り面に対して揺動可能であり、閉じた状態では、前記第１読み取り面および第２読み取り面を覆う揺動部と、
該揺動部に設けられ、前記閉じた状態において、前記揺動部に載置された媒体を前記第２読み取り面へ送る送り手段と、
該揺動部に取り付けられ、前記閉じた状態において、前記第１読み取り面にセットされた媒体を覆うマットと、
前記揺動部と前記マットとの間において、前記第２読み取り面側に配置される弾性部材と、当該弾性部材よりも前記第２読み取り面から離間して配置される弾性部材と、
前記揺動部における前記弾性部材が接着される箇所に間隔を空けて形成されたリブと、
該リブと前記弾性部材との間に設けられ、前記弾性部材を前記リブに接触する接着テープと、を備え、
前記送り手段が前記揺動部において偏倚した位置に設けられていることにより、前記揺動部の重心が、前記閉じた状態において、前記マットの中心に対して前記第２読み取り面側に偏倚した構成であり、
前記第２読み取り面側に配置される弾性部材を接着する接着テープの面積は、当該弾性部材よりも前記第２読み取り面から離間して配置される前記弾性部材を接着する接着テープの面積より大きい構成であるスキャナー装置。
【発明の詳細な説明】
【技術分野】
【０００１】
本発明は、基体部の読み取り面に対して揺動可能であり、閉じた状態では、前記読み取り面を覆う揺動部を備えたスキャナー装置に関する。
【背景技術】
【０００２】
従来では、特許文献１に示す如く、プリンターは、上方にスキャナー装置を備えていた。該スキャナー装置の読み取り部は、原稿台を有する筐体と、原稿カバーとを備えていた。該原稿カバーは、前記筐体に対して回動可能に構成されていた。また、前記原稿カバーは、原稿の裏面と対向する部分に原稿押圧部を備えていた。該原稿押圧部は、スポンジによって形成される弾性層を有していた。前記原稿台は、ガラス等から形成される板状部材であり、前記原稿押圧部との間に原稿を挟み込むようにして支持するように構成されていた。
【先行技術文献】
【特許文献】
【０００３】
【特許文献１】特開２００８−１９９３７５号公報
【発明の概要】
【発明が解決しようとする課題】
【０００４】
しかしながら、スポンジによって形成される前記弾性層は、前記原稿台と対向する全範囲に一体に一様に設けられていた。  
ここで、前記原稿カバーに自動原稿送り装置を設ける構成が考えられる。自動原稿送り装置を設けると、通常、前記自動原稿送り装置は、前記原稿カバーの中心に対して偏倚した位置となる。また、前記自動原稿送り装置は、ある程度重量があるので、前記原稿カバー全体の重心の位置が、前記原稿台と対向する範囲の中心に対して偏倚する。
【０００５】
これにより、前記原稿台に対する前記原稿カバーの姿勢が不安定になる虞がある。  
具体的には、前記自動原稿送り装置が偏倚した側には、比較的大きな自重が作用するため、前記偏倚した側のスポンジは押し潰されるように変形する。一方、前記偏倚した側と反対側には、作用する自重が比較的小さく、前記反対側のスポンジが殆ど変形しない虞がある。つまり、前記反対側のスポンジを前記原稿カバーの自重によって潰しきれない虞がある。係る場合、前記原稿台に対する前記原稿カバーの姿勢が傾いた状態となる。そして、前記原稿台と、前記原稿押圧部との間に隙間が生じ、該隙間から光りが入るため、前記読み取り部の読み取り精度が低下する虞がある。
【０００６】
本発明は、このような状況に鑑み成されたものであり、その課題は、スキャナー装置の基体部に対する揺動部の姿勢を安定させることを考慮したスキャナー装置を提供することである。
【課題を解決するための手段】
【０００７】
上記課題を達成するため、本発明の第１の態様のスキャナー装置は、媒体に記録された情報を読み取るスキャナー部が設けられた基体部と、前記基体部に設けられ媒体に記録された情報を読み取る第１読み取り面と、前記基体部に前記第１読み取り面と隣接して設けられ、媒体に記録された情報を読み取る第２読み取り面と、前記基体部の前記第１読み取り面および第２読み取り面に対して揺動可能であり、閉じた状態では、前記第１読み取り面および第２読み取り面を覆う揺動部と、該揺動部に設けられ、前記閉じた状態において、前記揺動部に載置された媒体を前記第２読み取り面へ送る送り手段と、該揺動部に取り付けられ、前記閉じた状態において、前記第１読み取り面にセットされた媒体を覆うマットと、前記揺動部と前記マットとの間において、前記第２読み取り面側に配置される弾性部材と、当該弾性部材よりも前記第２読み取り面から離間して配置される弾性部材とを備え、前記送り手段が前記揺動部において偏倚した位置に設けられていることにより、前記揺動部の重心が、前記閉じた状態において、前記マットの中心に対して前記第２読み取り面側に偏倚した構成であり、前記第２読み取り面側に配置される弾性部材における前記基体部側から前記揺動部側へ向かって前記揺動部と接触する面の面積は、当該弾性部材よりも前記第２読み取り面から離間して配置される弾性部材における前記基体部側から前記揺動部側へ向かって前記揺動部と接触する面の面積より大きい構成であることを特徴とする。
【０００８】
本態様によれば、前記閉じた状態において、前記基体部に対する前記揺動部の姿勢を安定させることができる。  
詳しく説明すると、前記送り手段を含む前記揺動部の重心が偏倚している。これにより、前記送り手段が偏倚している側において、比較的大きな自重が前記弾性部材に対して作用し、前記反対側において、比較的小さな自重が前記弾性部材に対して作用する。
【０００９】
ここで、面積が比較的小さい弾性部材の一の面全体を均等に押し潰すように変形させるには、面積が比較的大きい弾性部材を前記変形させる場合と比較して、比較的小さい力で十分である。  
従って、前記反対側の前記弾性部材を容易に潰す程度の圧力を作用させることができる。つまり、前記送り手段が偏倚した側の前記弾性部材の前記揺動部と接触する面における単位面積当たりに作用する自重と、前記反対側の前記弾性部材の前記揺動部と接触する面における単位面積当たりに作用する自重と、を略同じにすることができる。
【００１０】
これにより、前記閉じた状態において、前記送り手段が偏倚した側の前記弾性部材と同様、前記反対側の前記弾性部材を確実に均等に押し潰すように変形させることができ、前記弾性部材の押し潰される方向の変形量を略同じにすることができる。  
その結果、前記閉じた状態において、前記基体部に対する前記揺動部の姿勢を安定させる。そして、前記弾性部材が変形せず、前記マットと前記読み取り面との間に隙間が生じる所謂、浮き上がりによる光の入り込みを防止することができる。また、これにより、設計の自由度が高まる。つまり、自重を大きくするための錘等を設ける必要がない。
【００１１】
本発明の第２の態様のスキャナー装置は、媒体に記録された情報を読み取るスキャナー部が設けられた基体部と、前記基体部に設けられ媒体に記録された情報を読み取る第１読み取り面と、前記基体部に前記第１読み取り面と隣接して設けられ、媒体に記録された情報を読み取る第２読み取り面と、前記基体部の前記第１読み取り面および第２読み取り面に対して揺動可能であり、閉じた状態では、前記第１読み取り面および第２読み取り面を覆う揺動部と、該揺動部に設けられ、前記閉じた状態において、前記揺動部に載置された媒体を前記第２読み取り面へ送る送り手段と、該揺動部に取り付けられ、前記閉じた状態において、前記第１読み取り面にセットされた媒体を覆うマットと、前記揺動部と前記マットとの間において、前記第２読み取り面側に配置される弾性部材と、当該弾性部材よりも前記第２読み取り面から離間して配置される弾性部材と、前記揺動部における前記弾性部材と接触する箇所に間隔を空けて形成されたリブと、を備え、前記送り手段が前記揺動部において偏倚した位置に設けられていることにより、前記揺動部の重心が、前記閉じた状態において、前記マットの中心に対して前記第２読み取り面側に偏倚した構成であり、前記第２読み取り面側に配置される弾性部材と接触する前記リブの間隔は、当該弾性部材よりも前記第２読み取り面から離間して配置される前記弾性部材と接触する前記リブの間隔より狭い構成であることを特徴とする。
【００１２】
本態様によれば、上記第１の態様と同様、前記閉じた状態において、前記基体部に対する前記揺動部の姿勢を安定させることができる。  
ここで、前記リブの間隔を比較的疎にすると該リブと前記弾性部材とが接触する面積が小さくなる。一方、前記リブの間隔を比較的密にすると該リブと前記弾性部材とが接触する面積が大きくなる。
【００１３】
従って、上記第１の態様と同様、前記送り手段が偏倚した側の前記弾性部材の前記リブと接触する箇所における単位面積当たりに作用する自重と、前記反対側の前記弾性部材の前記リブと接触する箇所における単位面積当たりに作用する自重と、を略同じにすることができる。  
その結果、上記第１の態様と同様の作用効果を得ることができる。  
つまり、前記リブの密度を変えることにより、前記弾性部材の押し潰される方向の変形量を変えることができ、これにより、弾性部材の大きさを変えて弾性部材における前記基体部側から前記揺動部側へ向かって前記揺動部と接触する面の面積を変えた場合と同様の作用効果を得ることができる。
【００１４】
本発明の第３の態様のスキャナー装置は、媒体に記録された情報を読み取るスキャナー部が設けられた基体部と、前記基体部に設けられ媒体に記録された情報を読み取る第１読み取り面と、前記基体部に前記第１読み取り面と隣接して設けられ、媒体に記録された情報を読み取る第２読み取り面と、前記基体部の前記第１読み取り面および第２読み取り面に対して揺動可能であり、閉じた状態では、前記第１読み取り面および第２読み取り面を覆う揺動部と、該揺動部に設けられ、前記閉じた状態において、前記揺動部に載置された媒体を前記第２読み取り面へ送る送り手段と、該揺動部に取り付けられ、前記閉じた状態において、前記第１読み取り面にセットされた媒体を覆うマットと、前記揺動部と前記マットとの間において、前記第２読み取り面側に配置される弾性部材と、当該弾性部材よりも前記第２読み取り面から離間して配置される弾性部材と、前記揺動部における前記弾性部材が接着される箇所に間隔を空けて形成されたリブと、該リブと前記弾性部材との間に設けられ、前記弾性部材を前記リブに接触する接着テープと、を備え、前記送り手段が前記揺動部において偏倚した位置に設けられていることにより、前記揺動部の重心が、前記閉じた状態において、前記マットの中心に対して前記第２読み取り面側に偏倚した構成であり、前記第２読み取り面側に配置される弾性部材を接着する接着テープの面積は、当該弾性部材よりも前記第２読み取り面から離間して配置される前記弾性部材を接着する接着テープの面積より大きい構成であることを特徴とする。
【００１５】
本態様によれば、上記第１の態様と同様、前記閉じた状態において、前記基体部に対する前記揺動部の姿勢を安定させることができる。  
ここで、前記接着テープが前記リブと前記弾性部材との間にあると、前記接着テープの面積に応じてその分前記リブが前記弾性部材に食い込みにくくなる。これは、前記弾性部材の見かけの剛性が高くなるからである。
【００１６】
従って、上記第１の態様と同様、前記閉じた状態において、前記反対側の前記弾性部材の押し潰される方向の変形量と、前記送り手段が偏倚した側の前記弾性部材の押し潰される方向の変形量と、を略同じにすることができる。  
その結果、上記第１の態様と同様の作用効果を得ることができる。  
つまり、前記接着テープの面積を変えることにより、前記弾性部材の押し潰される方向の変形量を変えることができ、これにより、弾性部材における前記基体部側から前記揺動部側へ向かって前記揺動部と接触する面の面積を変えた場合と同様の作用効果を得ることができる。
【００１７】
本発明の第４の態様は、第１から第３のいずれか一の態様において、前記マットの端部に配設された前記弾性部材は、前記マットおよび前記揺動部と接着されており、前記マットの端部から離間した中央寄りに配設された前記弾性部材は、前記マットおよび前記揺動部の一方と接着され、他方と接着されていない構成であることを特徴とする。
【００１８】
本態様によれば、第１から第３のいずれか一の態様と同様の作用効果に加え、前記マットの中央が端部に対して垂れ下がるように弛むことができる。前記閉じた状態の前記揺動部を前記読み取り面から離間する方向へ揺動させる際、前記読み取り面と前記マットとの間における前記端部側から中央側へ容易に空気を入れることができる。つまり、空気を入れながら滑らかに引き剥がすように前記揺動部を揺動させることができる。中央が垂れ下がるように弛んでなく端部から空気が入りにくい構成と比較して、小さい力で前記揺動部を揺動させることができる。
【図面の簡単な説明】
【００１９】
【図１】本実施例のプリンター複合機の媒体搬送装置付きカバーを閉じた状態を示す斜視図。
【図２】本実施例のプリンター複合機の媒体搬送装置付きカバーを開いた状態を示す斜視図。
【図３】本実施例のプリンター複合機の媒体搬送装置を使用した状態を示す斜視図。
【図４】本実施例の媒体搬送装置付きカバーのマットおよびスポンジを分解した斜視図。
【図５】他の実施例１の媒体搬送装置付きカバーのマットおよびスポンジを分解した斜視図。
【図６】他の実施例２の媒体搬送装置付きカバーのマットおよびスポンジを分解した斜視図。
【発明を実施するための形態】
【００２０】
以下、本発明の実施の形態を図面に基づいて説明する。  
図１に示すのは、プリンター複合機１の媒体搬送装置付きカバー１３を閉じた状態を示す斜視図である。また、図２に示すのは、プリンター複合機１の媒体搬送装置付きカバー１３をプリンター本体２に対して上方へ開いた状態を示す斜視図である。またさらに、図３に示すのは、プリンター複合機１の媒体搬送装置１４を使用している状態を示す斜視図である。最初に、プリンター本体２の上部にスキャナー装置６を搭載したプリンター複合機１について、その全体構成の概略を簡単に説明する。
【００２１】
図１〜図３に示す如く、プリンター複合機１は、プリンター本体２と、スキャナー装置６とを有している。  
このうち、プリンター本体２は、プリンター複合機１の鉛直方向下方（Ｚ軸の矢印と反対方向）に配設されている。また、プリンター本体２は、詳しく図示することは省略するが、給送部３と、記録部４と、排出部５とを備えている。給送部３は、プリンター本体２の内部に積層された用紙を給送することができるように構成されている。またさらに、記録部４は、給送部３によって給送された用紙に対してインクを吐出することにより記録実行をすることができるように構成されている。また、排出部５は、記録部４において記録された用紙をプリンター本体２の内部から外部へ排出することができるように構成されている。
【００２２】
一方、スキャナー装置６は、プリンター本体２より上方（Ｚ軸の矢印の方向）に配設されている。スキャナー装置６は、詳しくは後述する媒体搬送装置１４によって、搬送された読み取り対象物としての用紙Ｐの面に記録された写真や文書等の情報を読み取ることができるように構成されている。  
具体的に、スキャナー装置６は、基体部としてのスキャナー本体７と、揺動部としての媒体搬送装置付きカバー１３とを有している。
【００２３】
図２に示す如く、スキャナー本体７の内部には、読み取り部１２を有するキャリッジ１１と、ガイド軸１０とが設けられている。また、スキャナー本体７の上面には、透明なガラス板またはアクリル板等で形成された第１読み取り面８と、同じく透明なガラス板またはアクリル板等で形成された第２読み取り面９とが設けられている。  
ここで、第１読み取り面８は、直接第１読み取り面８にセットされた用紙Ｐの面に記録された情報を読み取る場合に使用する。一方、第２読み取り面９は、後述する媒体搬送装置１４によって送られた用紙Ｐの面に記録された情報を読み取る場合に使用する構成である。
【００２４】
そして、キャリッジ１１は、ガイド軸１０に案内されながら、Ｙ軸方向へ移動可能に設けられている。つまり、キャリッジ１１は、ＣＩＳ（Contact Image Sensor）モジュールとしての役割を果たすように構成されている。  
また、媒体搬送装置付きカバー１３は、ヒンジ部２５を支点として、スキャナー本体７に対して揺動可能に設けられている。  
尚、第１読み取り面８にセットされる媒体の様々な厚みに対応するべく、ヒンジ部２５は、上方へ移動可能に設けられているものとする。
【００２５】
またさらに、媒体搬送装置付きカバー１３には、用紙Ｐを搬送する媒体搬送装置１４と、押さえ部２４とが設けられている。媒体搬送装置１４は、図１に示す不使用状態から上面のカバー部材を兼ねる媒体サポート部材１７を回動させることにより、図３に示す使用状態にすることができる。媒体搬送装置１４は、載置部１６と、送りローラー１５と、スタッカー１８とを備えている。このうち、載置部１６は、用紙Ｐを載置することができるように設けられている。  
尚、比較的大きいサイズの用紙Ｐの後端側は、媒体サポート部材１７によって支持されるように構成されている。
【００２６】
また、送りローラー１５は、載置部１６に載置されている用紙Ｐを、送り方向（矢印Ｂの方向）下流側の第２読み取り面９と対向する所定の位置を介して、スタッカー１８へ順次送ることができるように設けられている。  
またさらに、スタッカー１８は、第２読み取り面９と対向する所定の位置においてスキャナー本体７の読み取り部１２によって読み取られた用紙Ｐを積層することができるように設けられている。  
この際、キャリッジ１１が第２読み取り面９の範囲内に位置しており、用紙Ｐが所定の位置を通過することにより、読み取り部１２が用紙Ｐの面の情報を読み取ることができるように構成されている。
【００２７】
一方、押さえ部２４は、媒体搬送装置付きカバー１３において、閉じたときにスキャナー本体７の第１読み取り面８と対向することができる範囲に設けられている。ここで、ユーザーが、媒体搬送装置付きカバー１３を開いて、第１読み取り面８に、用紙Ｐの読み取らせたい面を向けて用紙Ｐを直接セットしてから、媒体搬送装置付きカバー１３を閉じる。このとき、押さえ部２４は、用紙Ｐを第１読み取り面８に対して隙間無く押さえ付けることができるように設けられている。  
そして、キャリッジ１１が第１読み取り面８の範囲を移動しながら、読み取り部１２が用紙Ｐの面の情報を読み取ることができるように構成されている。
【００２８】
尚、本実施例の媒体搬送装置付きカバー１３は、媒体搬送装置１４が媒体搬送装置付きカバー１３全体の中心に対してＹ軸方向において偏倚した位置に設けられている構成である。これにより、媒体搬送装置付きカバー１３の重心が、押さえ部２４の中心に対して、媒体搬送装置１４が前記偏倚した側に偏倚していることを前提とする。  
続いて、本実施例の媒体搬送装置付きカバー１３における押さえ部２４について、詳しく説明する。
【００２９】
図４に示すのは、本実施例の媒体搬送装置付きカバー１３の押さえ部２４を構成するマット１９およびスポンジ（２０〜２３）を分解した斜視図である。  
図４に示す如く、押さえ部２４は、マット１９と、複数の弾性部材（弾性体）の一例である多孔質のスポンジ（２０〜２３）とを有している。このうち、マット１９は、第１読み取り面８にセットされた用紙Ｐと、直接接触するように設けられている。マット１９は、原則、白色であり、薄くて弾力性を有しているものが望ましい。
【００３０】
白色以外であると、用紙Ｐが透けたときにマット１９の色を読み取り部１２が読み取ってしまう虞があるからである。また、薄くて弾力性を有しているものがよい理由は、第１読み取り面８に対して用紙Ｐを隙間無く押さえることができるようにするためである。隙間が生じると、該隙間から光りが入り込み、読み取り部１２の読み取り精度が低下する虞が生じるからである。
【００３１】
また、スポンジ（２０〜２３）は、マット１９と、媒体搬送装置付きカバー１３との間に設けられている。  
ここで、取り付け方法は、スポンジ（２０〜２３）とマット１９との間、スポンジ（２０〜２３）と媒体搬送装置付きカバー１３との間をそれぞれ接着してもよいし、それぞれフック等で係止してもよい。  
そして、スポンジ（２０〜２３）は、特に第１読み取り面８の端部において、第１読み取り面８に対してマット１９を介して用紙Ｐを隙間無く押さえることができるように複数設けられている。つまり、従来技術の構成のように一つのスポンジで全面を押さえようとすると、端部において隙間が生じやすい傾向があるので、スポンジ（２０〜２３）が間隔を空けて複数配設されている。
【００３２】
本実施例では、一例として、第１スポンジ２０、第２スポンジ２１、第３スポンジ２２および第４スポンジ２３が配設されている。このうち、第１スポンジ２０〜第３スポンジ２２は、媒体搬送装置１４が偏倚しているＹ軸の矢印の上流側から反対側である下流側へ向かって第１スポンジ２０、第２スポンジ２１、第３スポンジ２２の順に、間隔を空けて配設されている。また、第１スポンジ２０〜第３スポンジ２２は、用紙Ｐの幅方向であるＸ軸方向において、マット１９の両端にそれぞれ一対となるように配設されている。
【００３３】
本実施例では、自重が作用するＺ軸方向において、第１スポンジ２０における媒体搬送装置付きカバー１３と接触する面の面積をＳ１とする。同様に、第２スポンジ２１における媒体搬送装置付きカバー１３と接触する面の面積をＳ２、第３スポンジ２２における媒体搬送装置付きカバー１３と接触する面の面積をＳ３とする。係る場合、
第１スポンジの面積Ｓ１  ＞  第２スポンジの面積Ｓ２  ＞  第３スポンジの面積Ｓ３
の関係が成立するように構成されている。
【００３４】
前述したように、媒体搬送装置１４の位置が偏倚していることにより媒体搬送装置付きカバー１３の重心がＹ軸の矢印の上流側に偏倚している。従って、媒体搬送装置１４が偏倚しているＹ軸の矢印の上流側において、媒体搬送装置付きカバー１３の自重の一部である比較的大きな自重が第１スポンジ２０に対して作用する。一方、Ｙ軸の矢印の下流側において、媒体搬送装置付きカバー１３の自重の一部である比較的小さな自重が第３スポンジ２２に対して作用する。
【００３５】
ここで、一般的に、面積が比較的小さいスポンジの一の面全体を均等に押し潰すように変形させるには、面積が比較的大きいスポンジを前記変形させる場合と比較して、比較的小さい力で十分である。  
従って、Ｙ軸の矢印の下流側の第３スポンジ２２を容易に潰す程度の圧力を作用させることができる。
【００３６】
つまり、媒体搬送装置１４が偏倚した側（Ｙ軸の矢印方向上流側）の第１スポンジ２０の媒体搬送装置付きカバー１３と接触する面における単位面積当たりに作用する自重と、Ｙ軸の矢印の下流側の第３スポンジ２２の媒体搬送装置付きカバー１３と接触する面における単位面積当たりに作用する自重と、を略同じにすることができる。その中間の第２スポンジ２１の媒体搬送装置付きカバー１３と接触する面における単位面積当たりに作用する自重についても同様である。
【００３７】
これにより、前記閉じた状態において、第１スポンジ２０、第２スポンジ２１および第３スポンジ２２を確実に均等に押し潰すように変形させることができる。そして、第１スポンジ２０、第２スポンジ２１および第３スポンジ２２の押し潰される方向であるＺ軸方向の変形量を略同じにすることができる。  
ここで、前記略同じでなくても、技術的思想としては、最低限、Ｙ軸の矢印の下流側の第３スポンジ２２をもＺ軸方向に変形させることができればよい。
【００３８】
その結果、前記閉じた状態において、スキャナー本体７に対する媒体搬送装置付きカバー１３の姿勢を安定させることができる。つまり、スポンジが変形せず、マット１９と第１読み取り面８との間に隙間が生じる所謂、浮き上がりによる光の入り込みを防止することができる。また、これにより、設計の自由度が高まる。つまり、自重を大きくするための錘等を設ける必要がない。
【００３９】
また、マット１９の端部から離間した中央寄りの位置には、第４スポンジ２３が設けられている。第４スポンジ２３は、マット１９の中央寄りの位置において、マット１９を介して第１読み取り面８にセットされた用紙Ｐを押さえることができるように設けられている。セットされる用紙Ｐのサイズは様々である。ここで、セットされる用紙Ｐの一の端部の位置は、第１読み取り面８におけるＹ軸の矢印の上流側端部の一方の角に合わせられる構成である。
【００４０】
そして、第１読み取り面８のサイズより小さいサイズの用紙Ｐである場合、前記一の端部に対する対角線上の位置関係となる他の端部は、第４スポンジ２３が設けられている範囲内に殆ど入ることができるように構成されている。従って、第４スポンジ２３は、前記他の端部およびその近傍を押さえることができる。  
尚、第４スポンジ２３における媒体搬送装置付きカバー１３と接触する面積は、媒体搬送装置付きカバー１３の自重によって第３スポンジ２２がＺ軸方向に変形することを妨げない程度に設けられている。
【００４１】
また、第４スポンジ２３は、媒体搬送装置付きカバー１３に対して接着されており、マット１９に対しては接着されていない。これにより、マット１９の中央寄りの部分を、端部に対して弛ませることができる。ユーザーが閉じた状態の媒体搬送装置付きカバー１３を開く際、マット１９は端部から上方へ移動するので、端部から中央へ向かって横から空気が入りやすい。そのため、ユーザーは、横から空気が入りにくい構成と比較して、容易に媒体搬送装置付きカバー１３を開くことができる。つまり、媒体搬送装置付きカバー１３を開く際、マット１９と第１読み取り面８との間に負圧となる空間を生じにくくすることにより、容易に媒体搬送装置付きカバー１３を開くことができる。
【００４２】
尚、本実施例では、第４スポンジ２３を、媒体搬送装置付きカバー１３に対して接着したが、これに限らない。技術的思想としては、マット１９の中央寄りの部分を、端部に対して弛ませることができればよい。従って、第４スポンジ２３が、媒体搬送装置付きカバー１３に対して接着されておらず、マット１９に対しては接着されている構成でもよい。
【００４３】
また、本実施例では、弾性部材の一例として多孔質のスポンジを用いたが、非常に柔らかくて比較的小さい自重によって変形して隙間無く押さえることができれば、スポンジ以外でもよい。  
またさらに、上記の面積Ｓ１〜Ｓ３の大小関係に加え、Ｙ軸の矢印の下流側の第３スポンジ２２の厚みを、上流側の第１スポンジ２０の厚みより厚くしてもよい。係る場合、第３スポンジ２２のＺ軸方向の所定の変形量を確保しやすくすることができる。
【００４４】
本実施例のスキャナー装置６は、読み取り面である第１読み取り面８において媒体の一例である用紙Ｐに記録された情報を読み取るスキャナー部である読み取り部１２が設けられた基体部としてのスキャナー本体７と、スキャナー本体７の第１読み取り面８に対して揺動可能であり、閉じた状態では、第１読み取り面８を覆う揺動部としての媒体搬送装置付きカバー１３と、媒体搬送装置付きカバー１３に設けられ、前記閉じた状態において、媒体搬送装置付きカバー１３に載置された用紙Ｐを第１読み取り面８へ送る送り手段としての媒体搬送装置１４と、媒体搬送装置付きカバー１３に取り付けられ、前記閉じた状態において、第１読み取り面８にセットされた用紙Ｐを覆うマット１９と、媒体搬送装置付きカバー１３とマット１９との間において複数設けられた弾性部材の一例としてのスポンジである第１スポンジ２０、第２スポンジ２１、第３スポンジ２２と、を備え、媒体搬送装置１４が媒体搬送装置付きカバー１３において偏倚した位置に設けられていることにより、媒体搬送装置付きカバー１３の重心が、前記閉じた状態において、マット１９の中心に対して偏倚した構成であり、媒体搬送装置１４が偏倚した側と反対側の弾性部材である第３スポンジ２２におけるスキャナー本体７側から媒体搬送装置付きカバー１３側へ向かって媒体搬送装置付きカバー１３と接触する面の面積Ｓ３は、媒体搬送装置１４が偏倚した側の弾性部材である第１スポンジ２０におけるスキャナー本体７側から媒体搬送装置付きカバー１３側へ向かって媒体搬送装置付きカバー１３と接触する面の面積Ｓ１より小さい構成であることを特徴とする。
【００４５】
また、本実施例において、マット１９の端部に配設された弾性部材である第１スポンジ２０、第２スポンジ２１、第３スポンジ２２は、マット１９および媒体搬送装置付きカバー１３と接着されており、マット１９の端部から離間した中央寄りに配設された弾性部材である第４スポンジ２３は、マット１９および媒体搬送装置付きカバー１３の一方と接着され、他方と接着されていない構成であることを特徴とする。  
尚、本実施例では、第４スポンジ２３は、媒体搬送装置付きカバー１３と接着されており、マット１９とは接着されていない構成である。
【００４６】
［他の実施例１］
図５に示すのは、他の実施例１の媒体搬送装置付きカバー１３のマット１９およびスポンジ（２３、３３〜３５）を分解した斜視図である。  
図５に示す如く、他の実施例１では、前述した実施例と同様、マット１９と、媒体搬送装置付きカバー１３との間に、第４スポンジ２３、第５スポンジ３３、第６スポンジ３４および第７スポンジ３５が設けられている。
【００４７】
第５スポンジ３３〜第７スポンジ３５は、媒体搬送装置１４が偏倚しているＹ軸の矢印の上流側から反対側である下流側へ向かって第５スポンジ３３、第６スポンジ３４、第７スポンジ３５の順に、間隔を空けて配設されている。また、第５スポンジ３３〜第７スポンジ３５は、用紙Ｐの幅方向であるＸ軸方向において、マット１９の両端にそれぞれ一対となるように配設されている。他の実施例１では、第５スポンジ３３〜第７スポンジ３５は、同じ大きさである。
【００４８】
また、媒体搬送装置付きカバー１３における第５スポンジ３３〜第７スポンジ３５と接触する箇所には、間隔を空けて形成されたリブ（３０〜３２）が設けられている。  
具体的には、第５スポンジ３３と接触する箇所には、第１リブ３０が設けられている。また、第６スポンジ３４と接触する箇所には、第２リブ３１が設けられている。またさらに、第７スポンジ３５と接触する箇所には、第３リブ３２が設けられている。  
尚、その他の部材は、前述した実施例と同様であるので、同じ符号を用いることとし、その説明は省略する。
【００４９】
他の実施例１では、第１リブ３０が形成されているＸ軸方向の間隔をｄ１とする。同様に、第２リブ３１が形成されているＸ軸方向の間隔をｄ２、第３リブ３２が形成されているＸ軸方向の間隔をｄ３とする。係る場合、
第１リブの間隔ｄ１  ＜  第２リブの間隔ｄ２  ＜  第３リブの間隔ｄ３
の関係が成立するように構成されている。
【００５０】
ここで、第１リブ３０の間隔ｄ１を、第２リブ３１の間隔ｄ２と比較して狭く（密に）すると、第１リブ３０と第５スポンジ３３とが接触する面積が、第２リブ３１と第６スポンジ３４とが接触する面積より大きくなる。同様に、第１リブ３０の間隔ｄ１を、第３リブ３２の間隔ｄ３と比較して狭く（密に）すると、第１リブ３０と第５スポンジ３３とが接触する面積が、第３リブ３２と第７スポンジ３５とが接触する面積より大きくなる。
【００５１】
従って、前述した実施例と同様、媒体搬送装置１４が偏倚した側（Ｙ軸の矢印方向上流側）の第５スポンジ３３の媒体搬送装置付きカバー１３と接触する面における単位面積当たりに作用する自重と、Ｙ軸の矢印の下流側の第７スポンジ３５の媒体搬送装置付きカバー１３と接触する面における単位面積当たりに作用する自重と、を略同じにすることができる。その中間の第６スポンジ３４の媒体搬送装置付きカバー１３と接触する面における単位面積当たりに作用する自重についても同様である。
【００５２】
これにより、前記閉じた状態において、第５スポンジ３３、第６スポンジ３４および第７スポンジ３５を確実に均等に押し潰すように変形させることができる。そして、第５スポンジ３３、第６スポンジ３４および第７スポンジ３５の押し潰される方向であるＺ軸方向の変形量を略同じにすることができる。  
技術的思想としては、Ｙ軸の矢印の下流側の第７スポンジ３５をもＺ軸方向に変形させることができればよい。
【００５３】
その結果、前述した実施例と同様の作用効果を得ることができる。  
つまり、リブ（３０〜３２）の密度（隙間の大きさ）を変えることにより、スポンジ（３３〜３５）の押し潰される方向の変形量を変えることができ、これにより、前述した実施例のスポンジ（２０〜２２）の大きさを変えてスポンジ（２０〜２２）におけるＺ軸方向に媒体搬送装置付きカバー１３と接触する面の面積（Ｓ１〜Ｓ３）を変えた場合と同様の作用効果を得ることができる。
【００５４】
尚、他の実施例１では、第５スポンジ３３〜第７スポンジ３５を同じ大きさに構成したが、これに限らない。技術的思想としては、リブの間隔ｄ１〜ｄ３を変えることにより、最低限、Ｙ軸の矢印の下流側の第７スポンジ３５をもＺ軸方向に変形させることができればよい。従って、第５スポンジ３３〜第７スポンジ３５の大きさは、それぞれ同じ大きさでなくてもよい。  
また、Ｘ軸方向に間隔ｄ１〜ｄ３を空けてＹ軸方向に延びたリブ（３０〜３２）を形成したが、リブ（３０〜３２）が延びている方向はＹ軸方向に限らない。他の方向でもよいのは言うまでもない。
【００５５】
他の実施例１のスキャナー装置６は、第１読み取り面８において用紙Ｐに記録された情報を読み取る読み取り部１２が設けられたスキャナー本体７と、スキャナー本体７の第１読み取り面８に対して揺動可能であり、閉じた状態では、第１読み取り面８を覆う媒体搬送装置付きカバー１３と、媒体搬送装置付きカバー１３に設けられ、前記閉じた状態において、媒体搬送装置付きカバー１３に載置された用紙Ｐを第１読み取り面８へ送る媒体搬送装置１４と、媒体搬送装置付きカバー１３に取り付けられ、前記閉じた状態において、第１読み取り面８にセットされた用紙Ｐを覆うマット１９と、媒体搬送装置付きカバー１３とマット１９との間において複数設けられた弾性部材の一例である第５スポンジ３３、第６スポンジ３４、第７スポンジ３５と、媒体搬送装置付きカバー１３における第５スポンジ３３、第６スポンジ３４、第７スポンジ３５と接触する箇所に間隔ｄ１〜ｄ３を空けて形成されたリブである第１リブ３０、第２リブ３１、第３リブ３２と、を備え、媒体搬送装置１４が媒体搬送装置付きカバー１３において偏倚した位置に設けられていることにより、媒体搬送装置付きカバー１３の重心が、前記閉じた状態において、マット１９の中心に対して偏倚した構成であり、媒体搬送装置１４が偏倚した側と反対側の弾性部材である第７スポンジ３５と接触する第３リブ３２の間隔ｄ３は、媒体搬送装置１４が偏倚した側の弾性部材である第５スポンジ３３と接触する第１リブ３０の間隔ｄ１より広い構成であることを特徴とする。
【００５６】
［他の実施例２］
図６に示すのは、他の実施例２の媒体搬送装置付きカバー１３のマット１９およびスポンジ（２３、４３〜４５）を分解した斜視図である。  
図６に示す如く、他の実施例２では、前述した実施例と同様、マット１９と、媒体搬送装置付きカバー１３との間に、第４スポンジ２３、第８スポンジ４３、第９スポンジ４４および第１０スポンジ４５が設けられている。
【００５７】
第８スポンジ４３〜第１０スポンジ４５は、媒体搬送装置１４が偏倚しているＹ軸の矢印の上流側から反対側である下流側へ向かって第８スポンジ４３、第９スポンジ４４、第１０スポンジ４５の順に、間隔を空けて配設されている。また、第８スポンジ４３〜第１０スポンジ４５は、用紙Ｐの幅方向であるＸ軸方向において、マット１９の両端にそれぞれ一対となるように配設されている。  
尚、他の実施例２では、第８スポンジ４３〜第１０スポンジ４５は、一例として、同じ大きさである。
【００５８】
また、媒体搬送装置付きカバー１３における第８スポンジ４３〜第１０スポンジ４５と接触する箇所には、間隔を空けて形成されたリブ（４０〜４２）が設けられている。  
具体的には、第８スポンジ４３と接触する箇所には、第４リブ４０が設けられている。また、第９スポンジ４４と接触する箇所には、第５リブ４１が設けられている。またさらに、第１０スポンジ４５と接触する箇所には、第６リブ４２が設けられている。
【００５９】
また、第８スポンジ４３は、第１接着テープ４６によって第４リブ４０に接着されている。同様に、第９スポンジ４４は、第２接着テープ４７によって、第５リブ４１に接着されており、第１０スポンジ４５は、第３接着テープ４８によって、第６リブ４２に接着されている。  
尚、他の実施例２では、第４リブ４０〜第６リブ４２は、一例として、同じ間隔で形成されている。  
また、その他の部材は、前述した実施例と同様であるので、同じ符号を用いることとし、その説明は省略する。
【００６０】
他の実施例２では、第１接着テープ４６が第８スポンジ４３と接触する面積をＡ１とする。同様に、第２接着テープ４７が第９スポンジ４４と接触する面積をＡ２、第３接着テープ４８が第１０スポンジ４５と接触する面積をＡ３とする。係る場合、
第１接着テープの面積Ａ１  ＞  第２接着テープの面積Ａ２  ＞  第３接着テープの面積Ａ３
の関係が成立するように構成されている。
【００６１】
ここで、接着テープがリブとスポンジとの間にあると、接着テープの面積に応じてその分リブがスポンジに食い込みにくくなる。これは、スポンジの見かけの剛性が高くなるからである。  
これにより、第９スポンジ４４の見かけの剛性を、第８スポンジ４３の見かけの剛性より低くすることができる。また、第１０スポンジ４５の見かけの剛性を、第９スポンジ４４の見かけの剛性より低くすることができる。
【００６２】
従って、前述した実施例と同様、前記閉じた状態において、第１０スポンジ４５の押し潰される方向の変形量と、第９スポンジ４４の押し潰される方向の変形量と、第８スポンジ４３の押し潰される方向の変形量と、を略同じにすることができる。  
ここで、略同じでなくても、技術的思想としては、Ｙ軸の矢印の下流側の第１０スポンジ４５をもＺ軸方向に変形させることができればよい。
【００６３】
その結果、前述した実施例と同様の作用効果を得ることができる。  
つまり、接着テープ（４６〜４８）の面積Ａ１〜Ａ３を変えることにより、スポンジ（４３〜４５）の押し潰される方向の変形量を変えることができ、これにより、前述した実施例のスポンジ（２０〜２２）の大きさを変えてスポンジ（２０〜２２）におけるＺ軸方向に媒体搬送装置付きカバー１３と接触する面の面積（Ｓ１〜Ｓ３）を変えた場合と同様の作用効果を得ることができる。
【００６４】
尚、他の実施例２では、第８スポンジ４３〜第１０スポンジ４５を同じ大きさに構成したが、これに限らない。また、第４リブ４０〜第６リブ４２を同じ間隔で形成したが、これに限らない。技術的思想としては、接着テープ（４６〜４８）がスポンジ（４３〜４５）と接触する面積Ａ１〜Ａ３を変えることにより、最低限、Ｙ軸の矢印の下流側の第１０スポンジ４５をもＺ軸方向に変形させることができればよい。従って、第８スポンジ４３〜第１０スポンジ４５の大きさは、それぞれ同じ大きさでなくてもよい。また、第４リブ４０〜第６リブ４２は、同じ間隔でなくてもよい。
【００６５】
他の実施例２のスキャナー装置６は、第１読み取り面８において用紙Ｐに記録された情報を読み取る読み取り部１２が設けられたスキャナー本体７と、スキャナー本体７の第１読み取り面８に対して揺動可能であり、閉じた状態では、第１読み取り面８を覆う媒体搬送装置付きカバー１３と、媒体搬送装置付きカバー１３に設けられ、前記閉じた状態において、媒体搬送装置付きカバー１３に載置された用紙Ｐを第１読み取り面８へ送る媒体搬送装置１４と、媒体搬送装置付きカバー１３に取り付けられ、前記閉じた状態において、第１読み取り面８にセットされた用紙Ｐを覆うマット１９と、媒体搬送装置付きカバー１３とマット１９との間において複数設けられた弾性部材の一例である第８スポンジ４３、第９スポンジ４４、第１０スポンジ４５と、媒体搬送装置付きカバー１３における第８スポンジ４３、第９スポンジ４４、第１０スポンジ４５が接着される箇所に間隔を空けて形成されたリブである第４リブ４０、第５リブ４１、第６リブ４２と、第４リブ４０〜第６リブ４２と第８スポンジ４３〜第１０スポンジ４５との間に設けられ、第８スポンジ４３〜第１０スポンジ４５を第４リブ４０〜第６リブ４２に接触する接着テープである第１接着テープ４６、第２接着テープ４７、第３接着テープ４８と、を備え、媒体搬送装置１４が媒体搬送装置付きカバー１３において偏倚した位置に設けられていることにより、媒体搬送装置付きカバー１３の重心が、前記閉じた状態において、マット１９の中心に対して偏倚した構成であり、媒体搬送装置１４が偏倚した側と反対側の弾性部材である第１０スポンジ４５を接着する第３接着テープ４８の面積Ａ３は、媒体搬送装置１４が偏倚した側の弾性部材である第８スポンジ４３を接着する第１接着テープ４６の面積Ａ１より小さい構成であることを特徴とする。
【００６６】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００６７】
１  プリンター複合機、２  プリンター本体、３  給送部、４  記録部、５  排出部、
６  スキャナー装置、７  スキャナー本体（基体部）、８  第１読み取り面、
９  第２読み取り面、１０  ガイド軸、１１  キャリッジ、１２  読み取り部、
１３  媒体搬送装置付きカバー（揺動部）、１４  媒体搬送装置、１５  送りローラー、
１６  載置部、１７  媒体サポート部材（カバー部材を兼ねる）、１８  スタッカー、
１９  マット、２０  第１スポンジ、２１  第２スポンジ、２２  第３スポンジ、
２３  第４スポンジ、２４  押さえ部、２５  ヒンジ部、
３０  （他の実施例１の）第１リブ、３１  第２リブ、３２  第３リブ、
３３  第５スポンジ、３４  第６スポンジ、３５  第７スポンジ、
４０  （他の実施例２の）第４リブ、４１  第５リブ、４２  第６リブ、
４３  第８スポンジ、４４  第９スポンジ、４５  第１０スポンジ、
４６  第８スポンジを接着する第１接着テープ、
４７  第９スポンジを接着する第２接着テープ、
４８  第１０スポンジを接着する第３接着テープ、Ａ１  第１接着テープの面積、
Ａ２  第２接着テープの面積、Ａ３  第３接着テープの面積、Ｂ  送り方向、
ｄ１  第１リブの間隔、ｄ２  第２リブの間隔、ｄ３  第３リブの間隔、Ｐ  用紙、
Ｓ１  第１スポンジの接触面積、Ｓ２  第２スポンジの接触面積、
Ｓ３  第３スポンジの接触面積、Ｘ  （用紙の）幅方向、Ｙ  キャリッジの移動方向、
Ｚ  鉛直方向
【図１】
0005750962.tif 000002
【図２】
0005750962.tif 000003
【図３】
0005750962.tif 000004
【図４】
0005750962.tif 000005
【図５】
0005750962.tif 000006
【図６】
0005750962.tif 000007